【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
身体特定化情報、下肢生体インピーダンス、上肢生体インピーダンス及び体幹生体インピーダンスに基づいて体幹内臓脂肪組織量を求めることを特徴とする体幹内臓脂肪測定方法。
【請求項２】
体幹内臓脂肪組織を測定するための体幹内臓脂肪測定方法において、下肢の生体インピーダンス、上肢の生体インピーダンスおよび体幹の生体インピーダンスを測定し、前記測定した下肢の生体インピーダンスと身体特定化情報とに基づいて下肢骨格筋組織量を求め、前記測定した上肢の生体インピーダンスと身体特定化情報とに基づいて上肢骨格筋組織量を求め、前記求めた下肢骨格筋組織量および上肢骨格筋組織量と身体特定化情報とに基づいて体幹骨格筋組織量を求め、該求めた体幹骨格筋組織量と身体特定化情報とに基づいて体幹骨格筋組織層のインピーダンスを求め、身体特定化情報に基づいて内臓器組織のインピーダンスを求め、前記求めた体幹の生体インピーダンスと、前記求めた体幹骨格筋組織層のインピーダンスおよび体幹の内臓器組織のインピーダンスとに基づいて体幹内臓脂肪組織のインピーダンスを求め、該求めた体幹内臓脂肪組織のインピーダンスと身体特定化情報とに基づいて体幹内臓脂肪組織量を求めることを含む請求項１に記載の体幹内臓脂肪測定方法。
【請求項３】
体幹内臓脂肪組織を測定するための体幹内臓脂肪測定方法において、下肢の生体インピーダンス、上肢の生体インピーダンスおよび体幹の生体インピーダンスを測定し、前記測定した下肢の生体インピーダンスと身体特定化情報とに基づいて下肢骨格筋組織量を求め、前記測定した上肢の生体インピーダンスと身体特定化情報とに基づいて上肢骨格筋組織量を求め、前記求めた下肢骨格筋組織量および上肢骨格筋組織量と身体特定化情報とに基づいて体幹骨格筋組織量を求め、該求めた体幹骨格筋組織量と身体特定化情報とに基づいて体幹骨格筋組織層のインピーダンスを求め、身体特定化情報に基づいて体幹の皮下脂肪組織層のインピーダンスを求め、身体特定化情報に基づいて内臓器組織のインピーダンスを求め、前記求めた体幹の生体インピーダンスと、前記求めた体幹骨格筋組織層のインピーダンス、体幹の皮下脂肪組織層のインピーダンスおよび体幹の内臓器組織のインピーダンスとに基づいて体幹内臓脂肪組織のインピーダンスを求め、該求めた体幹内臓脂肪組織のインピーダンスと身体特定化情報とに基づいて体幹内臓脂肪組織量を求めることを含む請求項１に記載の体幹内臓脂肪測定方法。
【請求項４】
体幹内臓脂肪組織を測定するための体幹内臓脂肪測定方法において、下肢の生体インピーダンス、上肢の生体インピーダンスおよび体幹の生体インピーダンスを測定し、前記測定した下肢の生体インピーダンスおよび上肢の生体インピーダンスと身体特定化情報とに基づいて体幹骨格筋組織量を求め、該求めた体幹骨格筋組織量と身体特定化情報とに基づいて体幹骨格筋組織層のインピーダンスを求め、身体特定化情報に基づいて内臓器組織のインピーダンスを求め、前記求めた体幹の生体インピーダンスと、前記求めた体幹骨格筋組織層のインピーダンスおよび体幹の内臓器組織のインピーダンスとに基づいて体幹内臓脂肪組織のインピーダンスを求め、該求めた体幹内臓脂肪組織のインピーダンスと身体特定化情報とに基づいて体幹内臓脂肪組織量を求めることを含む請求項１に記載の体幹内臓脂肪測定方法。
【請求項５】
体幹内臓脂肪組織を測定するための体幹内臓脂肪測定方法において、下肢の生体インピーダンス、上肢の生体インピーダンスおよび体幹の生体インピーダンスを測定し、前記測定した下肢の生体インピーダンスおよび上肢の生体インピーダンスと身体特定化情報とに基づいて体幹骨格筋組織量を求め、該求めた体幹骨格筋組織量と身体特定化情報とに基づいて体幹骨格筋組織層のインピーダンスを求め、身体特定化情報に基づいて体幹の皮下脂肪組織層のインピーダンスを求め、身体特定化情報に基づいて内臓器組織のインピーダンスを求め、前記求めた体幹の生体インピーダンスと、前記求めた体幹骨格筋組織層のインピーダンス、体幹の皮下脂肪組織層のインピーダンスおよび体幹の内臓器組織のインピーダンスとに基づいて体幹内臓脂肪組織のインピーダンスを求め、該求めた体幹内臓脂肪組織のインピーダンスと身体特定化情報とに基づいて体幹内臓脂肪組織量を求めることを含む請求項１に記載の体幹内臓脂肪測定方法。
【請求項６】
身体特定化情報を取得する身体特定化情報取得手段と、下肢生体インピーダンスを測定する下肢生体インピーダンス測定手段と、上肢生体インピーダンスを測定する上肢生体インピーダンス測定手段と、体幹生体インピーダンスを測定する体幹生体インピーダンス測定手段と、これら身体特定化情報、下肢生体インピーダンス、上肢生体インピーダンス及び体幹生体インピーダンスに基づいて体幹内臓脂肪組織量を求める体幹内臓脂肪組織量推定手段とを備えることを特徴とする体幹内臓脂肪測定装置。
【請求項７】
体幹内臓脂肪組織を測定するための体幹内臓脂肪測定装置において、下肢の生体インピーダンスを測定するための下肢生体インピーダンス測定手段と、上肢の生体インピーダンスを測定するための上肢生体インピーダンス測定手段と、体幹の生体インピーダンスを測定するための体幹生体インピーダンス測定手段と、前記測定した下肢の生体インピーダンスと身体特定化情報とに基づいて下肢骨格筋組織量を推定する下肢骨格筋組織量推定手段と、前記測定した上肢の生体インピーダンスと身体特定化情報とに基づいて上肢骨格筋組織量を推定する上肢骨格筋組織量推定手段と、前記推定した下肢骨格筋組織量および上肢骨格筋組織量と身体特定化情報とに基づいて体幹骨格筋組織量を推定する体幹骨格筋組織量推定手段と、前記推定した体幹骨格筋組織量と身体特定化情報とに基づいて体幹骨格筋組織層のインピーダンスを推定する体幹骨格筋組織層インピーダンス推定手段と、身体特定化情報に基づいて体幹の内臓器組織のインピーダンスを推定する体幹内臓器組織インピーダンス推定手段と、前記推定した体幹の生体インピーダンスと、前記推定した体幹骨格筋組織層のインピーダンスおよび体幹の内臓器組織のインピーダンスとに基づいて体幹内臓脂肪組織のインピーダンスを推定する体幹内臓脂肪インピーダンス推定手段と、前記推定した体幹内臓脂肪組織のインピーダンスと身体特定化情報とに基づいて体幹内臓脂肪組織量を推定する体幹内臓脂肪組織量推定手段とを備える請求項６に記載の体幹内臓脂肪測定装置。
【請求項８】
体幹内臓脂肪組織を測定するための体幹内臓脂肪測定装置において、下肢の生体インピーダンスを測定するための下肢生体インピーダンス測定手段と、上肢の生体インピーダンスを測定するための上肢生体インピーダンス測定手段と、体幹の生体インピーダンスを測定するための体幹生体インピーダンス測定手段と、前記測定した下肢の生体インピーダンスと身体特定化情報とに基づいて下肢骨格筋組織量を推定する下肢骨格筋組織量推定手段と、前記測定した上肢の生体インピーダンスと身体特定化情報とに基づいて上肢骨格筋組織量を推定する上肢骨格筋組織量推定手段と、前記推定した下肢骨格筋組織量および上肢骨格筋組織量と身体特定化情報とに基づいて体幹骨格筋組織量を推定する体幹骨格筋組織量推定手段と、前記推定した体幹骨格筋組織量と身体特定化情報とに基づいて体幹骨格筋組織層のインピーダンスを推定する体幹骨格筋組織層インピーダンス推定手段と、身体特定化情報に基づいて体幹の皮下脂肪組織層のインピーダンスを推定する体幹皮下脂肪組織層インピーダンス推定手段と、身体特定化情報に基づいて体幹の内臓器組織のインピーダンスを推定する体幹内臓器組織インピーダンス推定手段と、前記推定した体幹の生体インピーダンスと、前記推定した体幹骨格筋組織層のインピーダンス、体幹の皮下脂肪組織層のインピーダンスおよび体幹の内臓器組織のインピーダンスとに基づいて体幹内臓脂肪組織のインピーダンスを推定する体幹内臓脂肪組織インピーダンス推定手段と、前記推定した体幹内臓脂肪組織のインピーダンスと身体特定化情報とに基づいて体幹内臓脂肪組織量を推定する体幹内臓脂肪組織量推定手段とを備える請求項６に記載の体幹内臓脂肪測定装置。
【請求項９】
体幹内臓脂肪組織を測定するための体幹内臓脂肪測定装置において、下肢の生体インピーダンスを測定するための下肢生体インピーダンス測定手段と、上肢の生体インピーダンスを測定するための上肢生体インピーダンス測定手段と、体幹の生体インピーダンスを測定するための体幹生体インピーダンス測定手段と、前記測定した下肢の生体インピーダンスおよび上肢の生体インピーダンスと身体特定化情報とに基づいて体幹骨格筋組織量を推定する体幹骨格筋組織量推定手段と、前記推定した体幹骨格筋組織量と身体特定化情報とに基づいて体幹骨格筋組織層のインピーダンスを推定する体幹骨格筋組織層インピーダンス推定手段と、身体特定化情報に基づいて体幹の内臓器組織のインピーダンスを推定する体幹内臓器組織インピーダンス推定手段と、前記推定した体幹の生体インピーダンスと、前記推定した体幹骨格筋組織層のインピーダンスおよび体幹の内臓器組織のインピーダンスとに基づいて体幹内臓脂肪組織のインピーダンスを推定する体幹内臓脂肪組織インピーダンス推定手段と、前記推定した体幹内臓脂肪組織のインピーダンスと身体特定化情報とに基づいて体幹内臓脂肪組織量を推定する体幹内臓脂肪組織量推定手段とを備える請求項６に記載の体幹内臓脂肪測定装置。
【請求項１０】
体幹内臓脂肪組織を測定するための体幹内臓脂肪測定装置において、下肢の生体インピーダンスを測定するための下肢生体インピーダンス測定手段と、上肢の生体インピーダンスを測定するための上肢生体インピーダンス測定手段と、体幹の生体インピーダンスを測定するための体幹生体インピーダンス測定手段と、前記測定した下肢の生体インピーダンスおよび上肢の生体インピーダンスと身体特定化情報とに基づいて体幹骨格筋組織量を推定する体幹骨格筋組織量推定手段と、前記推定した体幹骨格筋組織量と身体特定化情報とに基づいて体幹骨格筋組織層のインピーダンスを推定する体幹骨格筋組織層インピーダンス推定手段と、身体特定化情報に基づいて体幹の皮下脂肪組織層のインピーダンスを推定する体幹皮下脂肪組織層インピーダンス推定手段と、身体特定化情報に基づいて体幹の内臓器組織のインピーダンスを推定する体幹内臓器組織インピーダンス推定手段と、前記推定した体幹の生体インピーダンスと、前記推定した体幹骨格筋組織層のインピーダンス、体幹の皮下脂肪組織層のインピーダンスおよび体幹の内臓器組織のインピーダンスとに基づいて体幹内臓脂肪組織のインピーダンスを推定する体幹内臓脂肪組織インピーダンス推定手段と、前記推定した体幹内臓脂肪組織のインピーダンスと身体特定化情報とに基づいて体幹内臓脂肪組織量を推定する体幹内臓脂肪組織量推定手段とを備える請求項６に記載の体幹内臓脂肪測定装置。
【請求項１１】
前記体幹皮下脂肪組織層インピーダンス推定手段は、身体特定化情報から体幹の皮下脂肪組織量を推定し、該推定した体幹の皮下脂肪組織量と身体特定化情報とに基づいて体幹の皮下脂肪組織層のインピーダンスを推定する請求項８又は１０に記載の体幹内臓脂肪測定装置。
【請求項１２】
前記体幹内臓脂肪組織インピーダンス推定手段は、体幹の電気的等価回路が、前記体幹の内臓器組織のインピーダンスと前記体幹内臓脂肪組織のインピーダンスとの直列回路に対して前記体幹骨格筋組織層のインピーダンスが並列に接続されたものとして推定を行う請求項７又は９に記載の体幹内臓脂肪測定装置。
【請求項１３】
前記体幹内臓脂肪組織インピーダンス推定手段は、体幹の電気的等価回路が、前記体幹の内臓器組織のインピーダンスと前記体幹内臓脂肪組織のインピーダンスとの直列回路に対して前記体幹の皮下脂肪組織層のインピーダンスおよび前記体幹骨格筋組織層のインピーダンスが並列に接続されたものとして推定を行う請求項８又は１０又は１１に記載の体幹内臓脂肪測定装置。
【請求項１４】
前記体幹内臓器組織インピーダンス推定手段は、身体特定化情報から体幹の内臓器組織量を推定し、該推定した体幹の内臓器組織量と身体特定化情報とに基づいて体幹内臓器組織インピーダンスを推定する請求項７乃至１３のうちのいずれか１項に記載の体幹内臓脂肪測定装置。
【請求項１５】
前記身体特定化情報は、身体的な特徴を示す情報である請求項６乃至１４のうちのいずれか１項に記載の体幹内臓脂肪測定装置。
【請求項１６】
前記身体的な特徴を示す情報は、身長、性別、体重、年齢、四肢長（下肢長、上肢長）、体幹長（体幹中部長）、腹囲長、腹部幅、腹部厚等である請求項１５に記載の体幹内臓脂肪測定装置。
【請求項１７】
前記推定した体幹内臓脂肪組織量と前記推定した体幹皮下脂肪組織量とから体幹腹部脂肪組織量を推定する体幹腹部脂肪組織量推定手段を更に備える請求項１１に記載の体幹内臓脂肪測定装置。
【請求項１８】
前記推定した体幹内臓脂肪組織量と前記推定した体幹皮下脂肪組織量とから体幹内臓脂肪/皮下脂肪比を推定する体幹内臓脂肪/皮下脂肪比推定手段を更に備える請求項１１又は１７に記載の体幹内臓脂肪測定装置。
【請求項１９】
呼吸周期時間より短いサンプリング周期で測定した体幹の生体インピーダンスに基づいて呼吸による変動の影響を除去するための呼吸変動影響除去手段を更に備える請求項６乃至１８のうちのいずれか１項に記載の体幹内臓脂肪測定装置。
【請求項２０】
前記体幹生体インピーダンス測定手段は、右上肢と右下肢間通電ルート体幹腹部生体インピーダンスと、左上肢と右下肢間通電ルート体幹腹部生体インピーダンスと、右上肢と左下肢間通電ルート体幹腹部生体インピーダンスと、左上肢と左下肢間通電ルート体幹腹部生体インピーダンスとを測定するものであり、該測定された各ルート体幹腹部生体インピーダンスに基づいて腹部内臓器組織等異常判定処理を行う腹部内臓器組織等異常判定処理手段を更に備える請求項６乃至１９のうちのいずれか１項に記載の体幹内臓脂肪測定装置。